(57)【要約】【課題】容易に排煙又は排気装置の下端を上下に移動させてその位置を維持することができるとともに、管内の気流の乱れを抑制することができる排煙又は排気装置を提供すること。【解決手段】卓上の加熱調理器具の上方に配設される垂下管であって、垂下管が上下に分割され、下部管２が上部管３に対して上下方向に摺動可能に嵌合され、下部管２が弾性部材４によって上方向に付勢され、下部管２の上下方向の位置を固定するための下部管固定手段５が設けられ、下部管２の下端吸込口の高さが調節可能とされている。【選択図】  図１
2010139105.tif 000002
【特許請求の範囲】
【請求項１】
卓上の加熱調理器具の上方に配設される垂下管であって、
垂下管が上下に分割され、下部管が上部管に対して上下方向に摺動可能に嵌合され、下部管が弾性部材によって上方向に付勢され、下部管の上下方向の位置を固定するための下部管固定手段が設けられ、下部管の下端吸込口の高さが調節可能となっていることを特徴とする排煙又は排気装置。
【請求項２】
下部管の横断面は、上部管の横断面より大きくなっており、下部管の周側面が上部管の周側面の外側に位置するように嵌合することを特徴とする請求項１に記載の排煙又は排気装置。
【請求項３】
下部管固定手段は、下部管の周側面に設けられ、上部管の周側面に押圧される押圧部材を有し、押圧部材の押圧による摩擦力を弾性部材による上方向の付勢力より大きくできるようになっていることを特徴とする請求項２に記載の排煙又は排気装置。
【請求項４】
下部管の周側面の内側には下部管の長軸と並行に延びるレールが設けられており、上部管の周側面の外側にはレール案内溝が設けられていることを特徴とする請求項２又は３に記載の排煙又は排煙又は排気装置。
【請求項５】
下部管の周側面の上部には、下部管の周側面と上部管の周側面との隙間を塞ぐ下部管スペーサが設けられており、上部管の周側面の下部には、下部管の周側面と上部管の周側面との隙間を塞ぐ上部管スペーサが設けられており、上部管スペーサはレールが嵌入される切欠部を有しており、切欠部がレール案内溝となることを特徴とする請求項４に記載の排煙又は排煙又は排気装置。
【請求項６】
上部管スペーサには、下部管の周側面又はレールに向って突出して当接し、耐摩耗性を有する当接突起が設けられていることを特徴とする請求項５に記載の排煙又は排気装置。
【請求項７】
レール又は下部管スペーサには、上部管の周側面向って突出して当接し、耐摩耗性を有する当接突起が設けられていることを特徴とする請求項５又は６に記載の排煙又は排気装置。
【請求項８】
下部管の周側面の内側には摺動範囲制限手段が設けられており、下部管の摺動範囲の限界において、上部管スペーサと当接するようになっていることを特徴とする請求項５乃至７に記載の排煙又は排気装置。
【請求項９】
弾性部材は、コイルバネからなることを特徴とする請求項１乃至８のいずれかに記載の排煙又は排気装置。
【請求項１０】
コイルバネの長軸方向の中心線は、下部管及び上部管の横断面の略中央に位置することを特徴とする請求項９に記載の排煙又は排気装置。
【発明の詳細な説明】
【技術分野】
【０００１】
本発明は、卓上の加熱調理器具の上方に設けられた排煙又は排気装置に関する。
【背景技術】
【０００２】
従来、卓上の加熱調理器具の上方に設けられた排煙又は排気装置は、効率よく集煙又は集気するために、排気装置の下端吸込口が上下に移動できるようになっているものがある。
【０００３】
例えば、肉や魚介類等を焼くロースターの上方に設けられる排煙装置として、特許文献１に示すものがある。特許文献１の排煙装置は、垂下管が上下に分割され、下部管が上部管に摺動自在に嵌合され、下部管の下端吸込口の高さが調節可能とされており、上部管内に下部管の重量をバランスして支える渦巻き板バネ装置が設けられている。
【０００４】
上部管内に下部管の重量をバランスして支える渦巻き板バネ装置が設けられていることによって、容易に排煙又は排気装置の下端である下部管の下端吸込口を上下に移動させて、その位置を維持できるようになっている。
【０００５】
このような排煙装置は、加熱調理器具から煙等が大量に発生している時は、下部管を下に移動させて下端吸込口を加熱調理器具に近づけて効率よく集煙又は集気できるとともに、加熱調理器具から煙等が大量に発生していない時は、下部管を上に移動させて視界が必要以上に遮られることがないようになっている。
【特許文献１】特開２００１−７４２８９
【発明の開示】
【発明が解決しようとする課題】
【０００６】
しかしながら、渦巻き板バネ装置は、バネの寿命と充分な付勢力とを両立するためには、板バネの板幅を長くするか、渦巻き板バネを巻き取るドラム直径を長くする必要がある。板バネの板幅を長くするか、渦巻き板バネを巻き取るドラム直径を長くすると、渦巻き板バネ装置が大きくなり、管内の気流が乱れる原因となり、排煙能力が悪くなるという問題がある。
【０００７】
上記点より本発明は、容易に排煙又は排気装置の下端を上下に移動させてその位置を維持することができるとともに、管内の気流の乱れを抑制することができる排煙又は排気装置を提供することを目的とする。
【課題を解決するための手段】
【０００８】
上記課題を解決するため、請求項１の排煙又は排気装置は、卓上の加熱調理器具の上方に配設される垂下管であって、垂下管が上下に分割され、下部管が上部管に対して上下方向に摺動可能に嵌合され、下部管が弾性部材によって上方向に付勢され、下部管の上下方向の位置を固定するための下部管固定手段が設けられ、下部管の下端吸込口の高さが調節可能となっている。
【０００９】
請求項２の排煙又は排気装置では、下部管の横断面は、上部管の横断面より大きくなっており、下部管の周側面が上部管の周側面の外側に位置するように嵌合するようになっている。
【００１０】
請求項３の排煙又は排気装置では、下部管固定手段は、下部管の周側面に設けられ、上部管の周側面に押圧される押圧部材を有し、押圧部材の押圧による摩擦力を弾性部材による上方向の付勢力より大きくできるようになっている。
【００１１】
請求項４の排煙又は排気装置は、下部管の周側面の内側には下部管の長軸と並行に延びるレールが設けられており、上部管の周側面の外側にはレール案内溝が設けられている。
【００１２】
請求項５の排煙又は排気装置は、下部管の周側面の上部には、下部管の周側面と上部管の周側面との隙間を塞ぐ下部管スペーサが設けられており、上部管の周側面の下部には、下部管の周側面と上部管の周側面との隙間を塞ぐ上部管スペーサ上部管スペーサが設けられており、上部管スペーサはレールが嵌入される切欠部を有しており、切欠部がレール案内溝となる。
【００１３】
請求項６の排煙又は排気装置は、上部管スペーサには、下部管の周側面又はレールに向って突出して当接し、耐摩耗性を有する当接突起が設けられている。
【００１４】
請求項７の排煙又は排気装置は、レール又は下部管スペーサには、上部管の周側面向って突出して当接し、耐摩耗性を有する当接突起が設けられている
【００１５】
請求項８の排煙又は排気装置は、下部管の側面の内側には摺動範囲制限手段が設けられており、下部管の摺動範囲の限界において、上部管スペーサと当接するようになっている。
【００１６】
請求項９の排煙又は排気装置は、弾性部材がコイルバネからなる。
【００１７】
請求項１０の排煙又は排気装置は、コイルバネの長軸方向の中心線が下部管及び上部管の横断面の略中央に位置する
【発明の効果】
【００１８】
請求項１の排煙又は排気装置によれば、下部管が弾性部材によって上方向に付勢され、下部管の上下方向の位置を固定するための下部管固定手段が設けられているので、容易に排煙又は排気装置の下端を上下に移動させてその位置を維持することができる。したがって、加熱調理器具から煙等が大量に発生している時は、下部管を下に移動させて下端吸込口を加熱調理器具に近づけて効率よく集煙又は集気できるとともに、加熱調理器具から煙等が大量に発生していない時は、下部管を上に移動させて視界が必要以上に遮られることがないようにできる。
【００１９】
また、下部管が弾性部材によって上方向に付勢されているので、下端吸込口を加熱調理器具に近づける際は、下部管の自重を利用して下部管を下に移動させることができるとともに、下端吸込口を加熱調理器具から離すときは、伸ばされた弾性部材の弾性力を利用して下部管を下に移動させることができる。したがって、容易に下部管を摺動させることができる。
【００２０】
請求項２の排煙又は排気装置によれば、排煙又は排気中に上部管の内部で水、油等の液体が結露して上部管の周側面の内側を伝って落下してくる場合がある。しかしながら、下部管の周側面が上部管の周側面の外側に位置するように嵌合するので、下部管の周側面の外側に水、油等の液体が流れ出ることはない。したがって、上部管の周側面と下部管の周側面との隙間をシールしなくても、結露した水、油等の液体が下部管の周側面の外側を経由して、卓上に落下することを防止できる。
【００２１】
請求項３の排煙又は排気装置によれば、押圧部材の押圧による摩擦力を弾性部材による上方向の付勢力より大きくできるようになっているので、上下方向の任意の位置で押圧部材を上部管の周側面に押圧させて、下部管を容易に固定することができるようになっている。
【００２２】
請求項４の排煙又は排気装置によれば、レール及びレール案内溝が設けられていることによって、上部管に対して下部管が長軸回りに回転しない。したがって、下部管の上下方向の摺動がスムーズになるとともに、弾性部材が過度に捻じれて破損することを防止できる。
【００２３】
請求項５の排煙又は排気装置によれば、下部管スペーサ及び上部管スペーサが設けられていることによって、上部管の長軸方向と下部管の長軸方向との略平行状態が維持されるので、下部管の上下方向の摺動が安定する。
【００２４】
請求項６、７の排煙又は排気装置によれば、耐摩耗性を有する当接突起が設けられていることによって、下部管の上下方向の摺動が繰り返されても、排煙又は排気装置が破損することを防止できる。
【００２５】
請求項８の排煙又は排気装置によれば、摺動範囲制限手段が設けられていることによって、下部管が上部管から抜けて、下部管が卓上に落下することや、弾性部材が弾性限界を超えて伸びることを防止することができる。また。下部管固定手段が上部管スペーサに衝突して、下部管固定手段が破損することを防止することができる。
【００２６】
請求項９の排煙又は排気装置によれば、弾性部材は、コイルバネからなることによって、下部管の上方向への付勢と管内の気流の乱れ抑制を両立することができる。
【００２７】
請求項１０の排煙又は排気装置によれば、コイルバネの長軸方向の中心線が下部管及び上部管の横断面の略中央に位置することによって、下部管の上下方向の摺動が安定する。
【発明を実施するための最良の形態】
【００２８】
以下、卓上の加熱調理器具であるロースターの上方に設けられ、本発明の一実施形態である排煙装置１について図面に基づいて説明する。図１は、本発明の一実施形態の排煙装置１の分解斜視図である。図２は、図１に示す排煙装置１の断面図である。図３は、図２の下部管固定手段５の近傍の断面図である。
【００２９】
本実施形態の排煙装置１は、卓上の加熱調理器具の上方に配設される垂下管である。図１に示すように、排煙装置１は、垂下管が上下に分割された下部管２及び上部管３とを備える。排煙装置１は、下部管２が上部管３に対して上下方向に摺動可能に嵌合され、下部管２が弾性部材であるコイルバネ４によって上方向に付勢され、下部管２の上下方向の位置を固定するための下部管固定手段５が設けられており、下部管２の下端吸込口の高さが調節可能となっている。
【００３０】
下部管２及び上部管３を備える垂下管は、アダプタ１０を介して排煙が通るダクト等に接続されるようになっている。
【００３１】
下部管２が弾性部材であるコイルバネ４によって上方向に付勢され、下部管２の上下方向の位置を固定するための下部管固定手段５が設けられているので、容易に排煙装置１の下端である下部管２の下端吸込口を上下に移動させてその位置を維持することができる。したがって、加熱調理器具であるロースターから煙等が大量に発生している時は、図２の（Ｂ）に示すように、下部管２を下に移動させて下端吸込口をロースターに近づけて効率よく集煙又は集気できるとともに、ロースターから煙等が大量に発生していない時は、図２（Ａ）に示すように下部管２を上に移動させて視界が必要以上に遮られることがないようにできる。
【００３２】
本実施形態では、下部管２及び上部管３は、アルミニウム合金の表面にポリテトラフルオロエチレンなどのフッ素樹脂を用いた加工（以下「フッ素樹脂加工」という。）を施した円筒からなる。下部管２の円の横断面直径は１００ｍｍ、上部管３の円の横断面直径は８０ｍｍとなっており、下部管２の横断面は、上部管３の横断面より大きくなっている。したがって、図２の断面図に示すように、下部管２及び上部管３は、下部管２の周側面が上部管３の周側面の外側に位置するように嵌合している。
【００３３】
下部管２の下端吸込口には、下方に向って開口が拡大するフード等が取り付けられるようになっている。また、下部管２の周側面の外側には、下部管２を上下に移動させる際に、使用者がつまむためのツマミ２５が設けられている。
【００３４】
排煙中に上部管３の内部で水、油等の液体が結露して上部管３の周側面の内側を伝って落下してくる場合がある。しかしながら、下部管２の周側面が上部管３の周側面の外側に位置するように嵌合するので、下部管２の周側面の外側に水、油等の液体が流れ出ることはない。したがって、上部管３の周側面と下部管２の周側面との隙間をシールしなくても、結露した水、油等の液体が下部管２の周側面の外側を経由して、卓上に落下することを防止できる。例えば、下部管２の下方に液体を受けるための容器を設け、その容器が下部管２の内径と同じくらいの内径を有すれば、上部管３の内部で結露した水、油等の液体も受けることができる。
【００３５】
下部管固定手段５は、図２に示すように、下部管２の周側面に設けられている。下部管固定手段５は、下部管２に固定される調整ねじ本体５１と、調整ねじ本体５１と螺合する調整ねじキャップ５２と、上部管３の周側面に押圧される押圧部材５３と、調整ねじキャップ５２と押圧部材５３との間に設けられ、押圧部材５３を上部管３の周側面に向って付勢する付勢部材５４とを有する。
【００３６】
本実施形態の下部管固定手段５は、調整ねじキャップ５２を操作して、押圧部材５３の押圧による摩擦力を弾性部材であるコイルバネ４による上方向の付勢力より大きくできるようになっている。つまり、調整ねじキャップ５２を回動させることによって、付勢部材５４が押圧部材５３を上部管３の周側面に向って付勢する付勢力を調整できるようになっている。付勢部材５４の付勢力が大きくなれば、押圧部材５３と上部管３の周側面との摩擦力が大きくなり、付勢部材５４の付勢力が小さくなれば、押圧部材５３と上部管３の周側面との摩擦力が小さくなるようになっている。
【００３７】
押圧部材５３の押圧による摩擦力を弾性部材であるコイルバネ４による上方向の付勢力より大きくできるようになっているので、上下方向の任意の位置で押圧部材５３を上部管３の周側面に押圧させて、下部管２を容易に固定することができるようになっている。
【００３８】
図１及び図２に示すように、下部管２の周側面の内側には下部管２の長軸と並行に延びるレール２１が設けられている。レール２１は、下部管２の周側面の内側に配置した状態で、下部管２の周側面の外側からねじ２１ｂによって固定されるようになっている。また、上部管３の周側面の外側には、後述する上部管スペーサ３２はレール２１が嵌入される切欠部３２ａがレール案内溝となるように設けられている。
【００３９】
レール２１及びレール案内溝である上部管スペーサ３２の切欠部３２ａが設けられていることによって、上部管３に対して下部管２が長軸回りに回転しない。したがって、下部管２の上下方向の摺動が安定するとともに、弾性部材であるコイルバネが過度に捻じれて破損することを防止できる。
【００４０】
図１及び図２に示すように、下部管２の周側面の上部には、下部管２の周側面と上部管３の周側面との隙間を塞ぐ下部管スペーサ２２が設けられており、上部管３の周側面の下部には、下部管２の周側面と上部管３の周側面との隙間を塞ぐ上部管スペーサ３２が設けられている。
【００４１】
本実施形態では、下部管スペーサ２２及び上部管スペーサ３２は、表面にフッ素樹脂加工を施したアルミニウム合金からなる。下部管スペーサ２２は、下部管２にねじ２２ｂで固定され、上部管スペーサ３２は、下部管２にねじ３２ｂで固定される。
【００４２】
図１に示すように、上部管スペーサ３２はレール２１が嵌入される切欠部３２ａを有しており、切欠部３２ａがレール案内溝となる。
【００４３】
下部管スペーサ２２及び上部管スペーサ３２が設けられていることによって、上部管３の長軸方向と下部管２の長軸方向とが略平行に維持されるので、下部管２の上下方向の摺動が安定する。
【００４４】
本実施形態では、レール２１には、上部管３の周側面に向って当接し、耐摩耗性を有する当接突起２３が設けられており、上部管スペーサ３２には、下部管２の周側面に向って突出して当接し、耐摩耗性を有する当接突起３３が設けられている。
【００４５】
耐摩耗性を有する当接突起２３、３３が設けられていることによって、下部管２の上下方向の摺動が繰り返されても、排煙装置１が破損することを防止できる。
【００４６】
図１及び図２に示すように下部管２の周側面の内側には摺動範囲制限手段としてゴムのストッパ２４が設けられており、図２の（Ｂ）に示すように、下部管２の摺動範囲の限界において、上部管スペーサ３２と当接するようになっている
【００４７】
摺動範囲制限手段としてストッパ２４が設けられていることによって、下部管２が上部管３から抜けて、下部管２が卓上に落下することや、弾性部材のコイルバネ４が弾性限界を超えて伸びることを防止することができる。また。下部管固定手段５が上部管スペーサ３２に衝突して、下部管固定手段５が破損することを防止することができる。
【００４８】
本実施形態では、弾性部材は横断面が円のコイルバネ４からなる。弾性部材がコイルバネ４からなることによって、下部管２の上方向への付勢と管内の気流の乱れ抑制を両立することができる。
【００４９】
図２に示すように、コイルバネ４の上端は、上取付具４１を介して、アダプタ１０に取り付けられている。コイルバネ４の下端は、下取付具４２を介して、下部管２に取り付けられている。上取付具４１及び下取付具４２は略Ｔ字状の金属製の板材からなる。上取付具４１及び下取付具４２のＴ字の足の部分には、それぞれコイルバネ４の上端及び下端を引っ掛けることができる孔４１ａ及び孔４２ａが設けられている。
【００５０】
上取付具４１及び下取付具４２のＴ字の足は、それぞれアダプタ１０及び下部管２に取り付けられると、下部管２及び上部管３の横断面の略中央に位置するようになっている。したがって、上取付具４１及び下取付具４２のＴ字の足の孔４１ａ及び４２ａに引っ掛けられるコイルバネ４の長軸方向の中心線も、下部管２及び上部管３の横断面の略中央に位置するようになっている。
【００５１】
コイルバネ４の長軸方向の中心線が下部管２及び上部管３の横断面の略中央に位置することによって、下部管２の上下方向の摺動が安定する。
【００５２】
肉や魚介類等を焼くロースターの上方に設けられる排煙装置について説明したが、これに限定されることなく煙に限らず、例えば、鍋ものを加熱する加熱調理器具の上方に設けられ、湯気等を排気する排煙装置として使用してもよい。
【００５３】
本実施形態では、レール２１には、上部管３の周側面に向って当接し、耐摩耗性を有する当接突起２３が設けられており、上部管スペーサ３２には、下部管２側面に向って突出して当接し、耐摩耗性を有する当接突起３３が設けられている場合について説明したが、これに限定されることなく、下部管スペーサに、上部管の周側面向って突出して当接し、耐摩耗性を有する当接突起が設けられていてもよい。
【図面の簡単な説明】
【００５４】
【図１】本発明の一実施形態の排煙装置の分解斜視図である
【図２】図１に示す排煙装置の断面図である。
【図３】図２の下部管固定手段の近傍の断面図である。
【符号の説明】
【００５５】
１                      排煙装置
２                      下部管
３                      上部管
４                      コイルバネ
５                      下部管固定手段
１０                    アダプタ
２１                    レール
２１ｂ、２２ｂ、３２ｂ  ねじ
２２                    下部管スペーサ
２３、３３              当接突起
２４                    ストッパ
２５                    ツマミ
３２                    上部管スペーサ
３２ａ                  切欠部
４１                    上取付具
４１ａ、４２ａ          孔
４２                    下取付具
５１                    調整ねじ本体
５２                    調整ねじキャップ
５３                    押圧部材
５４                    付勢部材
【図１】
2010139105.tif 000003
【図２】
2010139105.tif 000004
【図３】
2010139105.tif 000005